(57)【要約】【課題】防草シート等のシート材を地面に対して強固に固定することができるアンカー部材及びアンカーユニットを提供する。【解決手段】軸５の外周にねじ山６を有し、先端から地面にねじ込まれるねじ本体２と、該ねじ本体２の後端側に設けられた頭部３と、を備え、少なくともねじ本体２の一部が地中に埋設される樹脂製のアンカー部材１であって、軸５の外周面には、ねじ山６と交差しながら当該軸５の長手方向に沿って延在する凸条１１が複数形成されている。【選択図】図１
2015130835.tif 000002
【特許請求の範囲】
【請求項１】
軸の外周にねじ山を有し、先端から地面にねじ込まれるねじ本体と、
該ねじ本体の後端側に設けられた頭部と、
を備え、少なくとも前記ねじ本体の一部が地中に埋設される樹脂製のアンカー部材であって、
前記軸の外周面には、前記ねじ山と交差しながら当該軸の長手方向に沿って延在する凸条が複数形成されていることを特徴とするアンカー部材。
【請求項２】
軸の外周にねじ山を有し、先端から地面にねじ込まれるねじ本体と、
該ねじ本体の後端側に設けられた頭部と、
を備え、少なくとも前記ねじ本体の一部が地中に埋設される樹脂製のアンカー部材であって、
前記軸の外周面には、前記ねじ山と交差しながら当該軸の長手方向に沿って延在する溝が複数形成されていることを特徴とするアンカー部材。
【請求項３】
前記頭部は、前記軸の長手方向に沿って延在する多角柱状に形成されると共に、当該頭部の頂面から凹んだ凹部が形成され、
前記頭部の断面において、前記凹部の断面の形状は前記頭部の外周面の断面形状と相似形に形成され、かつ、位相が同じ方向に揃えられていることを特徴とする請求項１または請求項２に記載のアンカー部材。
【請求項４】
前記軸の後端部は、前記頭部に向けて拡径していることを特徴とする請求項１から３の何れか一項に記載のアンカー部材。
【請求項５】
請求項１から３の何れか一項に記載のアンカー部材と、
該アンカー部材のねじ本体が挿通される挿通孔が形成されたワッシャーと、を備え、
該ワッシャーの外周縁が前記アンカー部材の先端側に湾曲していることを特徴とするアンカーユニット。
【請求項６】
前記ワッシャーは、前記挿通孔と異なる位置に貫通孔が形成されていることを特徴とする請求項５に記載のアンカーユニット。
【発明の詳細な説明】
【技術分野】
【０００１】
本発明は、地中に固定されるアンカー部材に関し、特に、防草シートや防水シート等のシート材を地面に固定するアンカー部材及びアンカーユニットに関する。
【背景技術】
【０００２】
道路や歩道などの舗装路面の外側に舗装されていない地面がある場合、この地面で蔦等の蔓植物や雑草等の草木が繁茂すると、これらの草木が路面側に進入してくることがある。路面側に草木が張り出した場合、美観が損なわれるだけでなく、交通の障害となる可能性がある。例えば、歩道まで草木が張り出した場合、これらの草木が歩行の障害となり、転倒や怪我の要因となる可能性がある。このため、従来では、草木の育成を防止する防草シートを地面に敷設していた。そして、このような防草シートを地面に固定するために、釘状のアンカー部材が用いられていた（例えば、特許文献１参照）。
【先行技術文献】
【特許文献】
【０００３】
【特許文献１】特開２０１１−２０８４３８号公報
【発明の概要】
【発明が解決しようとする課題】
【０００４】
しかしながら、従来の釘状のアンカー部材では、地面に対する固定力が弱く、防草シートを十分に固定することができなかった。このため、例えば、竜巻や突風などの強風に防草シートが煽られると、アンカー部材が地面から抜けて、防草シートが飛散する虞があった。また、防草シート以外のシート材、例えば防水シート等を地面に固定する場合にも、防草シートの場合と同様に固定力の不足が問題になっていた。
【０００５】
本発明は、このような事情に鑑みてなされたものであり、その目的は、防草シート等のシート材を地面に対して強固に固定することができるアンカー部材及びアンカーユニットを提供することにある。
【０００６】
本発明は、上記した目的を達成するために提案されたもので、請求項１に記載のものは、軸の外周にねじ山を有し、先端から地面にねじ込まれるねじ本体と、
該ねじ本体の後端側に設けられた頭部と、
を備え、少なくとも前記ねじ本体の一部が地中に埋設される樹脂製のアンカー部材であって、
前記軸の外周面には、前記ねじ山と交差しながら当該軸の長手方向に沿って延在する凸条が複数形成されていることを特徴とするアンカー部材である。
【０００７】
請求項２に記載のものは、軸の外周にねじ山を有し、先端から地面にねじ込まれるねじ本体と、
該ねじ本体の後端側に設けられた頭部と、
を備え、少なくとも前記ねじ本体の一部が地中に埋設される樹脂製のアンカー部材であって、
前記軸の外周面には、前記ねじ山と交差しながら当該軸の長手方向に沿って延在する溝が複数形成されていることを特徴とするアンカー部材である。
【０００８】
請求項３に記載のものは、前記頭部が、前記軸の長手方向に沿って延在する多角柱状に形成されると共に、当該頭部の頂面から凹んだ凹部が形成され、
前記頭部の断面において、前記凹部の断面の形状は前記頭部の外周面の断面形状と相似形に形成され、かつ、位相が同じ方向に揃えられていることを特徴とする請求項１または請求項２に記載のアンカー部材である。
【０００９】
請求項４に記載のものは、前記軸の後端部が、前記頭部に向けて拡径していることを特徴とする請求項１から３の何れか一項に記載のアンカー部材である。
【００１０】
請求項５に記載のものは、請求項１から３の何れか一項に記載のアンカー部材と、
該アンカー部材のねじ本体が挿通される挿通孔が形成されたワッシャーと、を備え、
該ワッシャーの外周縁が前記アンカー部材の先端側に湾曲していることを特徴とするアンカーユニットである。
【００１１】
請求項６に記載のものは、前記ワッシャーが、前記挿通孔と異なる位置に貫通孔が形成されていることを特徴とする請求項５に記載のアンカーユニットである。
【発明の効果】
【００１２】
請求項１に記載の発明によれば、軸の外周にねじ山を有し、先端から地面にねじ込まれるねじ本体と、該ねじ本体の後端側に設けられた頭部と、を備え、少なくともねじ本体の一部が地中に埋設される樹脂製のアンカー部材であって、軸の外周面には、ねじ山と交差しながら当該軸の長手方向に沿って延在する凸条が複数形成されているので、地中にねじ山に対応するねじ谷（雌ねじ）を作りながらそのまま締めることができ、例えばシート材を地面に対して容易に固定することができる。また、ねじ山にかかる土圧によってアンカー部材が不用意に地面から抜けることを抑制でき、シート材を地面に対して強固に固定することができる。さらに、凸条と凸条の間に形成される溝に地中の土等が進入することにより、ねじ山にかかる土圧を大きくすることができると共に、軸の回転に対する抵抗を大きくすることができる。これにより、アンカー部材が不用意に地面から抜けることを一層抑制でき、シート材の固定を一層強固にすることができる。また、凸条によって軸の強度を向上させることができるため、軸の径を小さくすることができ、ひいては、アンカー部材を小型化することができる。また、各凸条の厚さを一定に揃えることで、樹脂成型する際の凸条の厚さ方向における樹脂の収縮率を揃えることができ、ヒケによる歪み等を抑制できる。さらに、軸の内部に真空ボイドが発生することを抑制できる。
【００１３】
請求項２に記載の発明によれば、軸の外周にねじ山を有し、先端から地面にねじ込まれるねじ本体と、該ねじ本体の後端側に設けられた頭部と、を備え、少なくともねじ本体の一部が地中に埋設される樹脂製のアンカー部材であって、軸の外周面には、ねじ山と交差しながら当該軸の長手方向に沿って延在する溝が複数形成されているので、地中にねじ山に対応するねじ谷を作りながらそのまま締めることができ、例えばシート材を地面に対して容易に固定することができる。また、ねじ山にかかる土圧によってアンカー部材が不用意に地面から抜けることを抑制でき、シート材を地面に対して強固に固定することができる。さらに、溝に地中の土等が進入することにより、ねじ山にかかる土圧を大きくすることができると共に、軸の回転に対する抵抗を大きくすることができる。これにより、アンカー部材が不用意に地面から抜けることを一層抑制でき、シート材の固定を一層強固にすることができる。また、溝と溝との間に形成される凸条によって軸の強度を向上させることができるため、軸の径を小さくすることができ、ひいては、アンカー部材を小型化することができる。また、各凸条の厚さを一定に揃えることで、樹脂成型する際の凸条の厚さ方向における樹脂の収縮率を揃えることができ、ヒケによる歪み等を抑制できる。さらに、軸の内部に真空ボイドが発生することを抑制できる。
【００１４】
請求項３に記載の発明によれば、頭部が、軸の長手方向に沿って延在する多角柱状に形成されると共に、当該頭部の頂面から凹んだ凹部が形成され、頭部の断面において、凹部の断面の形状は頭部の外周面の断面形状と相似形に形成され、かつ、位相が同じ方向に揃えられているので、頭部の外周面に係合させる開口を有するスパナやレンチだけでなく、凹部の内周面に係合させる棒状のスパナやレンチを用いて、アンカー部材を地中に締め込むことができる。すなわち、２種類のスパナやレンチを用いて、アンカー部材を地中に締め込むことができるため、現場での自由度が向上する。また、内周面と外周面との間の壁の厚さを一定に揃えることができ、樹脂成型する際の当該壁の厚さ方向における樹脂の収縮率を揃えることができる。その結果、ヒケによる歪み等を抑制できる。さらに、頭部の内部に真空ボイドが発生することを抑制できる。
【００１５】
請求項４に記載の発明によれば、軸の後端部が、頭部に向けて拡径しているので、アンカー部材を地中に締め込む際に、この拡径した軸の後端部によって地表近くの土を斜め下方に強く押圧することができ、地中の土等を溝内に積極的に進入させることができる。これにより、アンカー部材が不用意に地面から抜けることを更に抑制でき、シート材の固定を更に強固にすることができる。
【００１６】
請求項５に記載の発明によれば、請求項１から３の何れか一項に記載のアンカー部材と、該アンカー部材のねじ本体が挿通される挿通孔が形成されたワッシャーと、を備え、該ワッシャーの外周縁がアンカー部材の先端側に湾曲しているので、アンカー部材を地中に締め込む際に、地面から盛り上がって外方へ逃げようとする土等をワッシャーの内側に留めることができる。これにより、地面を押圧する力を強めることができ、ねじ山にかかる土圧を大きくすることができる。
【００１７】
請求項６に記載の発明によれば、ワッシャーが、挿通孔と異なる位置に貫通孔が形成されているので、貫通孔にロープや紐等を結んだり、フック等を係合したりすることができ、シート材の固定以外の用途にも使用することができる。例えば、テントを張るとき等に用いられるアンカーとして使用することができる。
【図面の簡単な説明】
【００１８】
【図１】アンカー部材の説明図であり、（ａ）は平面図、（ｂ）は右側面図、（ｃ）は背面図、（ｄ）は左側面図、（ｅ）は平面図、（ｆ）は底面図である。
【図２】アンカー部材の説明図であり、（ａ）はＡ−Ａ断面図、（ｂ）はＢ−Ｂ断面図、（ｃ）は斜視図である。
【図３】頭部の拡大斜視図である。
【図４】ワッシャーの説明図であり、（ａ）は断面図、（ｂ）は斜視図である。
【図５】アンカーユニットを用いた防草シートの固定を説明する概略図である。
【図６】第２の実施形態におけるワッシャーの斜視図である。
【発明を実施するための形態】
【００１９】
以下、本発明を実施するための形態を、添付図面を参照して説明する。なお、以下に述べる実施形態では、本発明の好適な具体例として種々の限定がされているが、本発明の範囲は、以下の説明において特に本発明を限定する旨の記載がない限り、これらの態様に限られるものではない。また、各実施形態に示すアンカー部材１および防草シート１８等の寸法等は、説明の都合上、実際の寸法、縮尺と異なる場合がある。
【００２０】
図１〜図３はアンカー部材１の説明図であり、図１（ａ）は平面図、図１（ｂ）は右側面図、図１（ｃ）は背面図、図１（ｄ）は左側面図、図１（ｅ）は平面図、図１（ｆ）は底面図である。また、図２（ａ）はＡ−Ａ断面図、図２（ｂ）はＢ−Ｂ断面図、図２（ｃ）は斜視図である。さらに、図３は頭部３の拡大斜視図である。
【００２１】
アンカー部材１は、樹脂（合成樹脂）によって成形された、ねじ本体２及び頭部３からなる雄ねじである。本実施形態のアンカー部材１は、長手方向の寸法（全長）が約２０ｃｍ、ねじ本体２の直径（ねじ山６を含む径）が約２．５ｃｍに成形されている。なお、アンカー部材１に用いられる樹脂は、ポリスチレン樹脂、アクリル樹脂、ポリエステル樹脂、ＡＢＳ樹脂等の熱可塑性樹脂を好適に用いることができる。このような樹脂を用いてアンカー部材１を成型する方法としては、例えば、加熱により樹脂を軟化させて金型に押し込み、その後、冷却により樹脂を固化させてから金型から取り出す射出成形加工等が好適である。
【００２２】
本実施形態のねじ本体２は、図に示すように、軸５の先端部５ａが尖って（先細って）おり、この先端部５ａの途中から軸５の後端（頭部３）側に亘ってねじ山６が形成されている。ねじ山６は、軸５の外周において螺旋状に形成されており、例えば、約１．５ｃｍピッチで軸５の周りを約１０周している。なお、ねじ山６のピッチ及び周回数は、アンカー部材１の全長や使用される地面の状態に応じて適宜に設定することができる。また、ねじ山６は、図１（ｆ）に示すように、軸５からの高さが先端側から軸５の途中まで徐々に高くなるように形成されている。本実施形態では、先端側から数えて１周目のねじ山６から約５周目のねじ山６まで徐々に高さが高くなっており、５周目以降のねじ山６は略同じ高さに揃えられている。これにより、地面に対してねじ本体２を先端からねじ込む際に、アンカー部材１に加える力を少なくでき、作業性が向上する。
【００２３】
軸５の後端部（首部）には、頭部３に向けて拡径したテーパー部７が設けられている。すなわち、テーパー部７は、後端側（頭部３側）から先端側に向けて縮径している。本実施形態のテーパー部７は、図２（ｂ）及び図３に示すように、内部にテーパー穴８が形成された筒状に構成されている。このテーパー穴８は、後述する頭部３の凹部４の底面に開口し、この開口縁からテーパー部７の先端側の近傍まで凹んだ穴である。そして、図２（ｂ）に示すように、テーパー穴８とテーパー部７との縮径する割合（すなわち、長軸方向の断面におけるテーパー穴８のテーパー角度（軸５の延在方向に対する傾斜角度））は、ほぼ同じに揃えられている。これにより、テーパー穴８の内周面とテーパー部７の外周面との間の壁の厚さをほぼ一定に揃えることができる。すなわち、テーパー部７の偏肉を抑制することができる。その結果、樹脂成型する際における所謂ヒケ等による歪みを抑制できる。また、厚肉になると発生し易い真空ボイド（単にボイドともいう）を抑制することができる。これにより、テーパー部７の強度を確保することができる。なお、本実施形態では、テーパー部７の先端側の部分までねじ山６が形成されている。すなわち、テーパー部７の先端側の部分とねじ山６の後端部（最上部）とが重畳している。これにより、ねじ山６の他の部分と比べて強度が弱くなり易いねじ山６の最上部の強度を高めることができる。
【００２４】
そして、本実施形態の軸５は、図１及び図２に示すように、先端部５ａの途中であってねじ山６が形成された部分より先端側の部分からテーパー部７との境界に亘って断面十字状に形成されている。すなわち、軸５の断面において四方に突出した凸条１１が形成され、この凸条１１間に断面Ｖ字状の溝１２が形成されている。そして、ねじ山６は、この凸条１１及び溝１２の周りを周回している。すなわち、軸５の外周面には、ねじ山６と交差しながら当該軸５の長手方向に沿って延在する凸条１１が４つ形成されている。換言すると、軸５の外周面には、ねじ山６と交差しながら当該軸５の長手方向に沿って延在する溝１２が４つ形成されている。なお、各凸条１１の厚さは一定の厚さに揃えられている。これにより、樹脂成型する際におけるヒケ等による歪みを抑制できる。また、軸５の内部に真空ボイドが発生することを抑制することができ、軸５の強度を確保することができる。その結果、太い軸５であっても樹脂成型によって容易に作成することが可能になる。
【００２５】
本実施形態の頭部３は、軸５の長手方向に沿って延在する六角柱状に形成され、その先端側の部分であって、ねじ本体２（テーパー部７）との境界部分には、頭部３から外方に向けて延在した円盤状のフランジ部１０が形成されている。このフランジ部１０の直径は、テーパー部７及びねじ山６の直径よりも大きく形成されている。そして、頭部３の内部には、当該頭部３の頂面から先端側に向けて凹んだ凹部４が形成されている。この凹部４の断面形状（平面形状）は、図１（ｅ）及び図３に示すように、頭部３の断面（平面視）において、頭部３の外周面の断面形状（平面形状）と相似形、すなわち六角形に形成され、かつ、位相が同じ方向に揃えられている。換言すると、凹部４の中心からみた内周面の各頂点は、頭部３の外周面の各頂点と同じ方向に揃えられている。これにより、内周面と外周面との間の壁の厚さをほぼ一定に揃えることができる。その結果、樹脂成型する際におけるヒケ等による歪みを抑制できる。また、内部に真空ボイドが発生することを抑制することができる。なお、凹部４の底面には、上述したテーパー穴８が開口している。
【００２６】
次に、アンカー部材１のねじ本体２に取り付けられるワッシャー１５について説明する。なお、アンカー部材１及びワッシャー１５が本発明におけるアンカーユニットに相当する。図４（ａ）はワッシャー１５の断面図であり、図４（ｂ）はワッシャー１５の斜視図である。なお、図４では、ワッシャー１５の挿通孔１６に挿通されるアンカー部材１を破線で表している。
【００２７】
ワッシャー１５は、図４に示すように、アンカー部材１と同じく樹脂によって成形された浅い椀状の部材であり、その中心にねじ本体２が挿通される挿通孔１６が形成されている。本実施形態の挿通孔１６は、ねじ本体２のテーパー部７の後端部及びねじ山６の径よりも大きく、頭部３のフランジ部１０の径よりも小さく形成されている。また、ワッシャー１５の外周縁には、アンカー部材１の先端側に湾曲した湾曲部１５ａが形成されている。本実施形態の湾曲部１５ａは、先端側に向けて略直角に湾曲している。
【００２８】
このようなアンカー部材１およびワッシャー１５を用いて防草シート１８を地面１７に固定する方法について説明する。図５は、アンカー部材１及びワッシャー１５による防草シート１８の固定を説明する概略図である。なお、防草シート１８は、舗装されていない路肩や法面等の地面１７に敷設されて草木の育成を防止するシートであり、遮光性、耐腐食性及び耐熱性等を有するものが望ましい。また、防草シート１８には、アンカー部材１のねじ本体２が挿通可能なアンカー挿通孔（図示せず）が開設されている。
【００２９】
まず、防草シート１８を、草木の育成を防止したい地面１７に布設する。次に、ワッシャー１５を備えたアンカー部材１を、防草シート１８の一端に開設されたアンカー挿通孔に挿通し、スパナやレンチを用いて右回り（図５の矢印参照）に回しながら地面１７にねじ込んでいく。これにより、アンカー部材１は、地中にねじ山６に対応するねじ谷（雌ねじ）を作りながら埋没（進入）していく。ここで、アンカー部材１の頭部３が六角柱状に形成されると共に、当該頭部３の頂面から凹んだ凹部４の断面形状が六角形状に形成されているため、頭部３の外周面に係合させる開口を有するスパナや六角レンチだけでなく、凹部４の内周面に係合させる棒状のスパナや六角レンチを用いて、アンカー部材１を地中にねじ込むことができる。すなわち、２種類のスパナやレンチを用いて、アンカー部材１を地中にねじ込むことができる。なお、本実施形態では、アンカー部材１の地面１７へのねじ込みに、当該アンカー部材１の頭部３の外周面に係合する係合部を有する電動インパクトが使用される。このように電動インパクトを使用することで、作業効率を向上させることができると共に、硬い地面に対しても容易にアンカー部材１を打ち込むことができる。その結果、施工時における作業者の疲労を軽減することができる。
【００３０】
そして、ねじ山６が地中に埋没した状態からさらにアンカー部材１をねじ込ませると、テーパー部７の外周面が地面１７（地表近くの土）を斜め下方に押圧しながら地中に埋没していく。その後、アンカー部材１の地面１７への進入が進むと、ワッシャー１５の上面（挿通孔１６の縁）が頭部３（フランジ部１０）に当接すると共に、ワッシャー１５の下端（湾曲部１５ａの下端）が地面１７に布設された防草シート１８に当接して、頭部３と地面１７との間に防草シート１８及びワッシャー１５が挟まれた状態になる。この状態からさらにアンカー部材１をねじ込ませると、頭部３に押圧されたワッシャー１５が防草シート１８を地面１７に押圧し、ワッシャー１５と地面１７との間に防草シート１８が挟持される。このとき、地面１７から盛り上がって外方へ逃げようとする土等をワッシャー１５（湾曲部１５ａ）の内側に留めることができ、地面１７を押圧する力及び防草シート１８を挟持する力を強めることができる。最後に、頭部３が地上に出ている状態でスパナや六角レンチを当該頭部３から取り外して、防草シート１８の固定が完了する。
【００３１】
このように本発明のアンカー部材１によれば、軸５の外周にねじ山６を有し、先端から地面１７にねじ込まれるねじ本体２と、該ねじ本体２の後端側に設けられた頭部３と、を備え、少なくともねじ本体２の一部が地中に埋設される樹脂製のアンカー部材１であって、軸５の外周面には、ねじ山６と交差しながら当該軸５の長手方向に沿って延在する凸条１１が形成されているので、地中にねじ山６に対応する谷を作りながらそのまま締めることができ、防草シート１８を地面１７に対して容易に固定することができる。また、ねじ山６にかかる土圧によってアンカー部材１が不用意に地面１７から抜けることを抑制でき、防草シート１８を地面１７に対して強固に固定することができる。さらに、凸条１１と凸条１１の間に形成される溝１２に地中の土等が進入することにより、ねじ山６にかかる土圧を大きくすることができると共に、軸５の回転に対する抵抗を大きくすることができる。これにより、アンカー部材１が不用意に地面１７から抜けることを一層抑制でき、防草シート１８の固定を一層強固にすることができる。また、凸条１１によって軸５の強度を向上させることができるため、軸５の径を小さくすることができ、ひいては、アンカー部材１を小型化することができる。また、各凸条１１の厚さを一定に揃えることで、樹脂成型する際の凸条１１の厚さ方向における樹脂の収縮率を揃えることができ、ヒケによる歪み等を抑制できる。さらに、軸５の内部に真空ボイドが発生することを抑制できる。
【００３２】
また、頭部３が、軸５の長手方向に沿って延在する六角柱状に形成されると共に、当該頭部３の頂面から凹んだ凹部４が形成され、頭部３の断面において、凹部４の断面の形状は頭部３の外周面の断面形状と相似形に形成され、かつ、位相が同じ方向に揃えられているので、頭部３の外周面に係合させる開口を有するスパナや六角レンチだけでなく、凹部４の内周面に係合させる棒状のスパナや六角レンチを用いて、アンカー部材１を地中に締め込むことができる。すなわち、２種類のスパナやレンチを用いて、アンカー部材１を地中に締め込むことができるため、現場での自由度が向上する。また、内周面と外周面との間の壁の厚さを一定に揃えることができ、樹脂成型する際の当該壁の厚さ方向における樹脂の収縮率を揃えることができる。その結果、ヒケによる歪み等を抑制できる。さまた、頭部３の内部に真空ボイドが発生することを抑制できる。さらに、軸５の後端部が頭部３に向けて拡径しているので、すなわち、テーパー部７を有するので、アンカー部材１を地中に締め込む際に、このテーパー部７によって地地表近くの土を斜め下方に強く押圧することができ、地中の土等を溝１２内に積極的に進入させることができる。これにより、アンカー部材１が不用意に地面１７から抜けることを更に抑制でき、防草シート１８の固定を更に強固にすることができる。そして、ワッシャー１５は、外周縁がアンカー部材１の先端側に湾曲しているので、アンカー部材１を地中に締め込む際に、地面１７から盛り上がって外方へ逃げようとする土等をワッシャー１５の内側に留めることができる。これにより、地面１７を押圧する力を強めることができ、ねじ山６にかかる土圧を大きくすることができる。また、ワッシャー１５によって、アンカー部材１が挿通される防草シート１８のアンカー挿通孔を上方から塞ぐことができ、このアンカー挿通孔から雑草等が生えることを抑制できる。
【００３３】
ところで、アンカー部材１の形状は上記した実施形態に限られない。例えば、上記した実施形態では、軸５が断面十字状に形成されていたが、すなわち軸５の表面に凸条１１及び溝１２が４つずつ形成されていたが、これには限られず、軸の表面に凸条あるいは溝が２つ以上形成されていればよい。また、凸条あるいは溝の長さは、上記した実施形態に限られず、任意に設定することができる。要は、凸条あるいは溝は、少なくとも１つのねじ山と交差するように長手方向に沿って延在していればよい。さらに、上記した実施形態では、頭部３が六角柱状に形成されていたが、これには限られず、三角柱、四角柱等の多角柱状に形成することもできる。そして、この頭部の形状に合わせて凹部が形成される。また、上記した実施形態では、シート材として防草シート１８を例示したが、これには限られず、雨水等の地面への浸入を防ぐ防水シート等のシート材を、アンカー部材を用いて地面に固定することもできる。
【００３４】
さらに、ワッシャー１５の形状は、上記した実施形態に限られない。例えば、図６に示す第２の実施形態におけるワッシャー１５′では、挿通孔１６′と異なる位置に貫通孔２１が形成されている。具体的には、本実施形態のワッシャー１５′は、湾曲部１５ａ′の一部から外方の斜め上方に延在した舌部２０を備えている。この舌部２０の中央に、板厚方向に貫通した貫通孔２１が形成されている。このような、貫通孔２１を備えたワッシャー１５′を用いてアンカー部材１を地面に固定すれば、防草シートの固定以外の用途にも使用することができる。例えば、貫通孔２１にロープや紐等を結んだり、フック等を係合したりすることができ、テントを張るとき等に用いられるアンカーとして使用することができる。なお、その他の形態は上記した実施形態と同じであるため説明を省略する。
【００３５】
ところで、貫通孔２１の位置は上記した第２の実施形態に限られず、挿通孔１６′から外れた位置に適宜に設定することができる。また、舌部２０の延在方向は上記した第２の実施形態に限られず、例えば、ワッシャーの上面に対して垂直方向に舌部を延在させることもできる。そして、この舌部に貫通孔を形成する。さらに、舌部および貫通孔の数は上記した第２の実施形態のように１つに限られず、複数設けることもできる。
【００３６】
なお、上記した各実施形態におけるアンカー部材１のねじ本体２の長さ、ねじ山の高さ、ねじ山の周回数、頭部の大きさ及びフランジ部の大きさ、並びに、ワッシャーの大きさ、挿通孔の大きさ及び貫通孔の大きさ等の各所の寸法は、適宜に決定することができる。
そして、本発明は上記した実施形態に限らず、特許請求の範囲内での全ての変更が含まれる。
【符号の説明】
【００３７】
１    アンカー部材
２    ねじ本体
３    頭部
４    凹部
５    軸
５ａ    先端部
６    ねじ山
７    テーパー部
８    テーパー穴
１０    フランジ部
１１    凸条
１２    溝
１５    ワッシャー
１５ａ    湾曲部
１６    挿通孔
１７    地面
１８    防草シート
２０    舌部
２１    貫通孔
【図１】
2015130835.tif 000003
【図２】
2015130835.tif 000004
【図３】
2015130835.tif 000005
【図４】
2015130835.tif 000006
【図５】
2015130835.tif 000007
【図６】
2015130835.tif 000008